(57)【要約】  データを伝送する方法及び端末装置であり、ダウンリンクの時間ユニットとサイドリンクの時間ユニットの大きさが一致しないという場合のサイドリンクのデータ伝送の問題を解決できる。該方法は、端末装置がネットワーク装置から送信された第１制御情報を受信することと、前記端末装置が前記第１制御情報に基づいてサイドリンクデータの送信時刻を決定することと、を含む。
2021527997.tif 000002
【特許請求の範囲】
【請求項１】
データを伝送する方法であって、
端末装置がネットワーク装置から送信された第１制御情報を受信することと、
前記端末装置が前記第１制御情報に基づいてサイドリンクデータの送信時刻を決定することと、を含むことを特徴とするデータを伝送する方法。
【請求項２】
前記第１制御情報はダウンリンク制御情報（ＤＣＩ）であり、前記端末装置が前記第１制御情報に基づいてサイドリンクデータの送信時刻を決定することは、
前記端末装置が前記第１制御情報に含まれる第１指示情報に基づいて、サイドリンクデータの送信時刻を決定することを含むことを特徴とする請求項１に記載の方法。
【請求項３】
前記第１指示情報は特定の境界に対する時間ユニットのインデックス値又はオフセットを指示することに用いられ、前記端末装置が前記第１制御情報に含まれる前記第１指示情報に基づいて、サイドリンクデータの送信時刻を決定することは、
前記端末装置が前記特定の境界と前記インデックス値に基づいて、前記サイドリンクデータの送信時刻を決定することを含むことを特徴とする請求項２に記載の方法。
【請求項４】
前記特定の境界は無線フレーム境界であり、１つの無線フレームにはＮ個のサイドリンクの時間ユニットが含まれ、前記第１指示情報は前記Ｎ個の時間ユニットのうちの１つ又は複数の時間ユニットのインデックス値を指示することに用いられ、Ｎは１より大きい整数であることを特徴とする請求項３に記載の方法。
【請求項５】
前記端末装置が前記特定の境界と前記インデックス値に基づいて、前記サイドリンクデータの送信時刻を決定することは、
前記端末装置が前記Ｎ個のサイドリンクの時間ユニットにおける前記インデックス値に指示される時間ユニットを、前記サイドリンクデータの送信時刻として決定することを含むことを特徴とする請求項４に記載の方法。
【請求項６】
前記特定の境界は無線フレーム周期境界であり、１つの無線フレーム周期にはＬ個のサイドリンクの時間ユニットが含まれ、前記第１指示情報は前記Ｌ個の時間ユニットのうちの１つ又は複数の時間ユニットのインデックス値を指示することに用いられ、Ｌは１より大きい整数であることを特徴とする請求項３に記載の方法。
【請求項７】
前記端末装置が前記特定の境界と前記インデックス値に基づいて、前記サイドリンクデータの送信時刻を決定することは、
前記端末装置が前記Ｌ個のサイドリンクの時間ユニットにおける前記インデックス値に指示される時間ユニットを、前記サイドリンクデータの送信時刻として決定することを含むことを特徴とする請求項６に記載の方法。
【請求項８】
前記特定の境界は第１サイドリンク時間ユニットであり、前記第１サイドリンク時間ユニットは第２サイドリンク時間ユニットに基づいて決定され、前記第２サイドリンク時間ユニットは前記端末装置が前記第１制御情報を受信するサイドリンクにおける時間ユニットであり、前記第１指示情報は前記第１サイドリンク時間ユニットに対する時間ユニットのインデックス値を指示することに用いられることを特徴とする請求項３に記載の方法。
【請求項９】
前記端末装置が前記特定の境界と前記インデックス値に基づいて、前記サイドリンクデータの送信時刻を決定することは、
前記端末装置が前記第１サイドリンク時間ユニットの後のｍ番目のサイドリンク時間ユニットを、前記サイドリンクデータの送信時刻として決定すること、又は、
前記端末装置が前記第１サイドリンク時間ユニットにｍ個のサイドリンク時間ユニットを加えた後の１番目の使用可能なサイドリンク時間ユニットを、前記サイドリンクデータの送信時刻として決定することを含み、
前記ｍは前記インデックス値であることを特徴とする請求項８に記載の方法。
【請求項１０】
前記特定の境界は第１ダウンリンク時間ユニットであり、前記第１ダウンリンク時間ユニットは第２ダウンリンク時間ユニットに基づいて決定され、前記第２ダウンリンク時間ユニットは前記端末装置が前記第１制御情報を受信するダウンリンクにおける時間ユニットであり、前記第１指示情報は前記第１ダウンリンク時間ユニットに対する時間ユニットのインデックス値を指示することに用いられることを特徴とする請求項３に記載の方法。
【請求項１１】
前記端末装置が前記特定の境界と前記インデックス値に基づいて、前記サイドリンクデータの送信時刻を決定することは、
前記端末装置が前記第１ダウンリンク時間ユニットの後のｎ番目のサイドリンク時間ユニットを、前記サイドリンクデータの送信時刻として決定すること、又は、
前記端末装置が前記第１ダウンリンク時間ユニットにｎ個のサイドリンク時間ユニットを加えた後の１番目の使用可能なサイドリンク時間ユニットを、前記サイドリンクデータの送信時刻として決定することを含み、
前記ｎは前記インデックス値であることを特徴とする請求項１０に記載の方法。
【請求項１２】
前記端末装置が前記第１制御情報に基づいてサイドリンクデータの送信時刻を決定することは、
前記端末装置が前記第１制御情報に対応するシーケンス情報、無線ネットワーク一時識別子（ＲＮＴＩ）、サーチスペース、アグリゲーションレベル、送信リソースのうちの少なくとも１つに基づいて、前記サイドリンクデータの送信時刻を決定することを含むことを特徴とする請求項１に記載の方法。
【請求項１３】
前記端末装置が前記第１制御情報に対応するシーケンス情報、無線ネットワーク一時識別子（ＲＮＴＩ）、サーチスペース、アグリゲーションレベル、送信リソースのうちの少なくとも１つに基づいて、前記サイドリンクデータの送信時刻を決定することは、
前記端末装置が前記第１制御情報に対応するシーケンス情報、無線ネットワーク一時識別子（ＲＮＴＩ）、サーチスペース、アグリゲーションレベル、リソースのうちの少なくとも１つ、及び第１対応関係に基づいて、前記サイドリンクデータの送信時刻を決定することを含み、
前記第１対応関係はシーケンス情報、無線ネットワーク一時識別子（ＲＮＴＩ）、サーチスペース、アグリゲーションレベル、リソースのうちの少なくとも１つと時間ユニットインデックスとの対応関係であることを特徴とする請求項１２に記載の方法。
【請求項１４】
前記シーケンス情報はマスクコードシーケンス、スクランブルコードシーケンス、復調参照信号（ＤＭＲＳ）シーケンスのうちの少なくとも１つであることを特徴とする請求項１２又は１３に記載の方法。
【請求項１５】
前記端末装置が前記第１制御情報に基づいてサイドリンクデータの送信時刻を決定することは、
前記端末装置が前記第１制御情報、第１サブキャリア間隔及び第２サブキャリア間隔に基づいてサイドリンクデータの送信時刻を決定することを含み、
前記第１サブキャリア間隔は前記第１制御情報の所在するキャリア又は帯域幅部分（ＢＷＰ）のサブキャリア間隔であり、前記第２サブキャリア間隔は前記サイドリンクデータの所在するキャリア、ＢＷＰ又はリソースプールのサブキャリア間隔であることを特徴とする請求項１〜１４のいずれか１項に記載の方法。
【請求項１６】
前記方法は更に、
前記端末装置が第１設定情報を取得し、前記第１設定情報に基づいて前記第１サブキャリア間隔を決定することと、
前記端末装置が第２設定情報を取得し、前記第２設定情報に基づいて前記第２サブキャリア間隔を決定することと、を含むことを特徴とする請求項１５に記載の方法。
【請求項１７】
前記第１設定情報は事前設定され又はネットワークによって設定された情報であり、又は、前記第２設定情報は事前設定され又はネットワークによって設定された情報であることを特徴とする請求項１６に記載の方法。
【請求項１８】
前記時間ユニットはサブフレーム又はタイムスロットであることを特徴とする請求項３〜１４のいずれか１項に記載の方法。
【請求項１９】
端末装置であって、
ネットワーク装置から送信された第１制御情報を受信することに用いられる通信モジュールと、
前記第１制御情報に基づいてサイドリンクデータの送信時刻を決定することに用いられる決定モジュールと、を備えることを特徴とする端末装置。
【請求項２０】
前記第１制御情報はダウンリンク制御情報（ＤＣＩ）であり、前記決定モジュールは具体的に、
前記第１制御情報に含まれる第１指示情報に基づいて、サイドリンクデータの送信時刻を決定することに用いられることを特徴とする請求項１９に記載の端末装置。
【請求項２１】
前記第１指示情報は特定の境界に対する時間ユニットのインデックス値又はオフセットを指示することに用いられ、
前記決定モジュールは更に、前記特定の境界と前記インデックス値に基づいて、前記サイドリンクデータの送信時刻を決定することに用いられることを特徴とする請求項２０に記載の端末装置。
【請求項２２】
前記特定の境界は無線フレーム境界であり、１つの無線フレームにはＮ個のサイドリンクの時間ユニットが含まれ、前記第１指示情報は前記Ｎ個の時間ユニットのうちの１つ又は複数の時間ユニットのインデックス値を指示することに用いられ、Ｎは１より大きい整数であることを特徴とする請求項２１に記載の端末装置。
【請求項２３】
前記決定モジュールは更に、
前記Ｎ個のサイドリンクの時間ユニットにおける前記インデックス値に指示される時間ユニットを、前記サイドリンクデータの送信時刻として決定することに用いられることを特徴とする請求項２２に記載の端末装置。
【請求項２４】
前記特定の境界は無線フレーム周期境界であり、１つの無線フレーム周期にはＬ個のサイドリンクの時間ユニットが含まれ、前記第１指示情報は前記Ｌ個の時間ユニットのうちの１つ又は複数の時間ユニットのインデックス値を指示することに用いられ、Ｌは１より大きい整数であることを特徴とする請求項２１に記載の端末装置。
【請求項２５】
前記決定モジュールは更に、
前記Ｌ個のサイドリンクの時間ユニットにおける前記インデックス値に指示される時間ユニットを、前記サイドリンクデータの送信時刻として決定することに用いられることを特徴とする請求項２４に記載の端末装置。
【請求項２６】
前記特定の境界は第１サイドリンク時間ユニットであり、前記第１サイドリンク時間ユニットは第２サイドリンク時間ユニットに基づいて決定され、前記第２サイドリンク時間ユニットは前記端末装置が前記第１制御情報を受信するサイドリンクにおける時間ユニットであり、前記第１指示情報は前記第１サイドリンク時間ユニットに対する時間ユニットのインデックス値を指示することに用いられることを特徴とする請求項２１に記載の端末装置。
【請求項２７】
前記決定モジュールは更に、
前記第１サイドリンク時間ユニットの後のｍ番目のサイドリンク時間ユニットを、前記サイドリンクデータの送信時刻として決定すること、又は、
前記第１サイドリンク時間ユニットにｍ個のサイドリンク時間ユニットを加えた後の１番目の使用可能なサイドリンク時間ユニットを、前記サイドリンクデータの送信時刻として決定することに用いられ、
前記ｍは前記インデックス値であることを特徴とする請求項２６に記載の端末装置。
【請求項２８】
前記特定の境界は第１ダウンリンク時間ユニットであり、前記第１ダウンリンク時間ユニットは第２ダウンリンク時間ユニットに基づいて決定され、前記第２ダウンリンク時間ユニットは前記端末装置が前記第１制御情報を受信するダウンリンクにおける時間ユニットであり、前記第１指示情報は前記第１ダウンリンク時間ユニットに対する時間ユニットのインデックス値を指示することに用いられることを特徴とする請求項２１に記載の端末装置。
【請求項２９】
前記決定モジュールは更に、
前記第１ダウンリンク時間ユニットの後のｎ番目のサイドリンク時間ユニットを、前記サイドリンクデータの送信時刻として決定すること、又は、
前記第１ダウンリンク時間ユニットにｎ個のサイドリンク時間ユニットを加えた後の１番目の使用可能なサイドリンク時間ユニットを、前記サイドリンクデータの送信時刻として決定することに用いられ、
前記ｎは前記インデックス値であることを特徴とする請求項２８に記載の端末装置。
【請求項３０】
前記決定モジュールは更に、前記第１制御情報に対応するシーケンス情報、無線ネットワーク一時識別子（ＲＮＴＩ）、サーチスペース、アグリゲーションレベル、送信リソースのうちの少なくとも１つに基づいて、前記サイドリンクデータの送信時刻を決定することに用いられることを特徴とする請求項１９に記載の端末装置。
【請求項３１】
前記決定モジュールは更に、
前記第１制御情報に対応するシーケンス情報、無線ネットワーク一時識別子（ＲＮＴＩ）、サーチスペース、アグリゲーションレベル、リソースのうちの少なくとも１つ、及び第１対応関係に基づいて、前記サイドリンクデータの送信時刻を決定することに用いられ、
前記第１対応関係はシーケンス情報、無線ネットワーク一時識別子（ＲＮＴＩ）、サーチスペース、アグリゲーションレベル、リソースのうちの少なくとも１つと時間ユニットインデックスとの対応関係であることを特徴とする請求項３０に記載の端末装置。
【請求項３２】
前記シーケンス情報はマスクコードシーケンス、スクランブルコードシーケンス、復調参照信号（ＤＭＲＳ）シーケンスのうちの少なくとも１つであることを特徴とする請求項３０又は３１に記載の端末装置。
【請求項３３】
前記決定モジュールは更に、
前記第１制御情報、第１サブキャリア間隔及び第２サブキャリア間隔に基づいてサイドリンクデータの送信時刻を決定することに用いられ、
前記第１サブキャリア間隔は前記第１制御情報の所在するキャリア又は帯域幅部分（ＢＷＰ）のサブキャリア間隔であり、前記第２サブキャリア間隔は前記サイドリンクデータの所在するキャリア、ＢＷＰ又はリソースプールのサブキャリア間隔であることを特徴とする請求項１９〜３２のいずれか１項に記載の端末装置。
【請求項３４】
前記通信モジュールは更に、第１設定情報を取得することに用いられ、
前記決定モジュールは更に、前記第１設定情報に基づいて前記第１サブキャリア間隔を決定することに用いられ、
前記通信モジュールは更に、第２設定情報を取得することに用いられ、
前記決定モジュールは更に、前記第２設定情報に基づいて前記第２サブキャリア間隔を決定することに用いられることを特徴とする請求項３３に記載の端末装置。
【請求項３５】
前記第１設定情報は事前設定され又はネットワークによって設定された情報であり、又は、前記第２設定情報は事前設定され又はネットワークによって設定された情報であることを特徴とする請求項３４に記載の端末装置。
【請求項３６】
前記時間ユニットはサブフレーム又はタイムスロットであることを特徴とする請求項３１〜３２のいずれか１項に記載の端末装置。
【請求項３７】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１〜１８のいずれか１項に記載の方法を実行することに用いられることを特徴とする端末装置。
【請求項３８】
チップであって、メモリからコンピュータプログラムを呼び出して実行し、前記チップを搭載する装置に請求項１〜１８のいずれか１項に記載の方法を実行させることに用いられるプロセッサを備えることを特徴とするチップ。
【請求項３９】
コンピュータ可読記憶媒体であって、コンピュータプログラムを記憶することに用いられ、前記コンピュータプログラムはコンピュータに請求項１〜１８のいずれか１項に記載の方法を実行させることを特徴とするコンピュータ可読記憶媒体。
【請求項４０】
コンピュータプログラム製品であって、コンピュータプログラム命令を含み、該コンピュータプログラム命令はコンピュータに請求項１〜１８のいずれか１項に記載の方法を実行させることを特徴とするコンピュータプログラム製品。
【請求項４１】
コンピュータに請求項１〜１８のいずれか１項に記載の方法を実行させることを特徴とするコンピュータプログラム。
【発明の詳細な説明】
【関連出願の相互参照】
【０００１】
本願は２０１８年６月２９日に中国特許局に提出され、出願番号が２０１８１０７１３１８４．４であり、発明の名称が「車両インターネットにおけるデータ伝送の方法及び端末装置」である中国特許出願の優先権を主張し、その全部の内容は引用によって本願に組み込まれる。
【技術分野】
【０００２】
本願実施例は通信分野に関し、具体的に、データを伝送する方法及び端末装置に関する。
【背景技術】
【０００３】
車両インターネットシステムはロングタームエボリューション車両から車両へ（ＬＴＥ  Ｖ２Ｖ、Ｌｏｎｇ  Ｔｅｒｍ  Ｅｖａｌｕａｔｉｏｎ  Ｖｅｈｉｃｌｅ  ｔｏ  Ｖｅｈｉｃｌｅ）に基づくサイドリンク（ＳＬ、Ｓｉｄｅｌｉｎｋ）伝送技術であり、従来のＬＴＥシステムにおける、通信データが基地局を介して送受信される方式と異なり、車両インターネットシステムは端末から端末への直接通信という方式を採用するため、より高いスペクトル効率及びより低い伝送遅延を有する。
【０００４】
新無線（ＮＲ、Ｎｅｗ  Ｒａｄｉｏ）に基づく車両から他の装置へ（Ｖ２Ｘ、Ｖｅｈｉｃｌｅ  ｔｏ  Ｅｖｅｒｙｔｈｉｎｇ）のシステム（ＮＲ−Ｖ２Ｘと略称される）は自動運転をサポートする必要があり、より大きい帯域幅、例えば、数十メガ乃至更に大きい帯域幅をサポートし、又はより柔軟なタイムスロット構造をサポートし、例えば、ＮＲ−Ｖ２Ｘのサイドリンクにおいて、複数のサブキャリア間隔をサポートする必要がある場合があるが、ＬＴＥに基づくＶ２Ｘシステム（ＬＴＥ−Ｖ２Ｘと略称される）のサイドリンクにおいては、１つのサブキャリア間隔のみをサポートすればよい。
【０００５】
将来の車両インターネットシステムでは、サイドリンクにはＬＴＥ−Ｖ２ＸシステムとＮＲ−Ｖ２Ｘシステムが同時に存在する可能性があり、車載端末にとって、この２種類のサイドリンク構造を同時にサポートする必要があり、そうすると、ネットワークスケジューリングに基づくサイドリンク伝送においては、ダウンリンクの時間ユニットとサイドリンクの時間ユニットの大きさが一致しないという情況が存在する場合があり、その場合、どのようにサイドリンクの伝送時刻を決定してデータ伝送を行うかは早急に解決すべき課題である。
【発明の概要】
【発明が解決しようとする課題】
【０００６】
本願実施例はデータを伝送する方法及び端末装置を提供し、端末装置はネットワーク装置の第１制御情報に基づいてサイドリンクデータの送信時刻を決定することができ、これにより、サイドリンクのデータの伝送を実現する。
【課題を解決するための手段】
【０００７】
第１態様ではデータ伝送の方法を提供し、端末装置がネットワーク装置から送信された第１制御情報を受信することと、前記端末装置が前記第１制御情報に基づいてサイドリンクデータの送信時刻を決定することと、を含む。
【０００８】
第２態様では端末装置を提供し、上記の第１態様又は第１態様のいずれかの可能な実現方式における方法を実行することに用いられる。具体的に、該端末装置は、上記の第１態様又は第１態様のいずれか１つの可能な実現方式における方法を実行するためのユニットを備える。
【０００９】
第３態様では端末装置を提供し、該端末装置はプロセッサ及びメモリを備える。該メモリはコンピュータプログラムを記憶することに用いられ、該プロセッサは該メモリに記憶されるコンピュータプログラムを呼び出して実行し、上記第１態様又はその各実現方式における方法を実行することに用いられる。
【００１０】
第４態様ではチップを提供し、上記第１態様又はその各実現方式における方法を実現することに用いられる。
【００１１】
具体的に、該チップは、メモリからコンピュータプログラムを呼び出して実行し、該チップを搭載する装置に上記第１態様又はその各実現方式における方法を実行させることに用いられるプロセッサを備える。
【００１２】
第５態様ではコンピュータ可読記憶媒体を提供し、コンピュータプログラムを記憶することに用いられ、該コンピュータプログラムはコンピュータに上記第１態様又はその各実現方式における方法を実行させる。
【００１３】
第６態様ではコンピュータプログラム製品を提供し、コンピュータプログラム命令を含み、該コンピュータプログラム命令はコンピュータに上記第１態様又はその各実現方式における方法を実行させる。
【００１４】
第７態様ではコンピュータプログラムを提供し、それがコンピュータにおいて実行される時、コンピュータは上記第１態様又はその各実現方式における方法を実行する。
【００１５】
上記の技術案によって、端末装置はネットワーク装置の第１制御情報を受信でき、これにより、サイドリンクデータを送信する前に、端末装置はネットワーク装置の第１制御情報に基づいて該サイドリンクデータの送信時刻を決定することができ、そして該サイドリンクデータの送信時刻にサイドリンクデータを送信することができ、ダウンリンクとサイドリンクの時間ユニットの大きさが一致しない場合、端末装置がどの時間ユニットにおいてサイドリンクデータを送信するかを把握できないという問題を避けることに利する。
【図面の簡単な説明】
【００１６】
【図１】図１は本願実施例による通信システムアーキテクチャの模式図である。
【図２】図２は本願実施例によるデータ伝送の方法の模式図である。
【図３】図３はサイドリンクデータの送信時刻の１つの指示方式の模式図である。
【図４Ａ】図４Ａはサイドリンクデータの送信時刻の他の指示方式の模式図である。
【図４Ｂ】図４Ｂはサイドリンクデータの送信時刻の更なる指示方式の模式図である。
【図５】図５は本願実施例による端末装置の模式的なブロック図である。
【図６】図６は本願実施例による他の端末装置の模式的なブロック図である。
【図７】図７は本願実施例によるチップの模式的なブロック図である。
【発明を実施するための形態】
【００１７】
以下は、本願実施例の図面を参照しながら、本願実施例における技術案を説明する。明らかに、説明される実施例は本願の一部の実施例であり、全部の実施例ではない。本願における実施例に基づいて、当業者が創造的な労力を要することなく獲得した全ての他の実施例は、いずれも本願の保護範囲に属する。
【００１８】
理解されるように、本願実施例の技術案はデバイス間（Ｄ２Ｄ、Ｄｅｖｉｃｅ  ｔｏ  Ｄｅｖｉｃｅ）通信システム、例えば、ロングタームエボリューション（ＬＴＥ、Ｌｏｎｇ  Ｔｅｒｍ  Ｅｖｏｌｕｔｉｏｎ）に基づいてＤ２Ｄ通信を行う車両インターネットシステムに適用できる。従来のＬＴＥシステムにおける、端末間の通信データがネットワーク装置（例えば、基地局）を介して送受信されるという方式と違って、車両インターネットシステムは端末から端末への直接通信という方式を採用するため、より高いスペクトル効率とより低い伝送遅延を有する。
【００１９】
選択肢として、車両インターネットシステムの基づく通信システムは、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇ新無線（ＮＲ、Ｎｅｗ  Ｒａｄｉｏ）システム等であってもよい。
【００２０】
本願実施例における端末装置はＤ２Ｄ通信を実現できる端末装置であってもよい。例えば、車載端末装置であってよく、５Ｇネットワークにおける端末装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願はそれを限定しない。
【００２１】
図１は本願実施例の１つの応用シーンの模式図である。図１は１つのネットワーク装置と２つの端末装置を例示しているが、選択肢として、本願実施例における無線通信システムは複数のネットワーク装置を備えてもよく、そして各ネットワーク装置のカバレッジ範囲内に他の数の端末装置が含まれてもよく、本願の実施例はそれを限定しない。
【００２２】
選択肢として、該無線通信システムは更に、移動管理エンティティ（ＭＭＥ、Ｍｏｂｉｌｅ  Ｍａｎａｇｅｍｅｎｔ  Ｅｎｔｉｔｙ）、サービングゲートウェイ（Ｓ−ＧＷ、Ｓｅｒｖｉｎｇ  Ｇａｔｅｗａｙ）、パケットデータネットワークゲートウェイ（Ｐ−ＧＷ、Ｐａｃｋｅｔ  Ｄａｔａ  Ｎｅｔｗｏｒｋ  Ｇａｔｅｗａｙ）等の他のネットワークエンティティを備えてもよい。又は、該無線通信システムは更に、セッション管理機能（ＳＭＦ、Ｓｅｓｓｉｏｎ  Ｍａｎａｇｅｍｅｎｔ  Ｆｕｎｃｔｉｏｎ）、統合データ管理（ＵＤＭ、Ｕｎｉｆｉｅｄ  Ｄａｔａ  Ｍａｎａｇｅｍｅｎｔ）、認証サーバ機能（ＡＵＳＦ、Ａｕｔｈｅｎｔｉｃａｔｉｏｎ  Ｓｅｒｖｅｒ  Ｆｕｎｃｔｉｏｎ）等の他のネットワークエンティティを備えてもよく、本願実施例はそれを限定しない。
【００２３】
該車両インターネットシステムにおいて、端末装置はモード３及びモード４を採用して通信を行うことができる。
【００２４】
具体的に、端末装置１２１と端末装置１２２はＤ２Ｄ通信モードで通信することができ、Ｄ２Ｄ通信を行う時、端末装置１２１と端末装置１２２はＤ２Ｄリンク、即ちサイドリンク（ＳＬ、Ｓｉｄｅｌｉｎｋ）を介して直接に通信を行う。モード３では、端末装置の伝送リソースは基地局によって割り当てられるものであり、端末装置は基地局によって割り当てられたリソースに基づいてＳＬにおいてデータの送信を行うことができる。基地局は端末装置に１回の伝送のリソースを割り当てることができ、端末に準静的伝送のリソースを割り当てることもできる。モード４では、端末装置はセンシング（ｓｅｎｓｉｎｇ）＋予約（ｒｅｓｅｒｖａｔｉｏｎ）の伝送方式を採用し、端末装置はＳＬリソースにおいて伝送リソースを自主的に選択する。具体的に、端末装置はリソースプールにおいてセンシングの方式によって使用可能な伝送リソースセットを取得し、端末装置は該使用可能な伝送リソースセットからランダムに１つのリソースを選択してデータの伝送を行う。
【００２５】
Ｄ２Ｄ通信とは車両間（Ｖｅｈｉｃｌｅ  ｔｏ  Ｖｅｈｉｃｌｅ、「Ｖ２Ｖ」と略称される）通信又は車両から他の装置へ（Ｖ２Ｘ、Ｖｅｈｉｃｌｅ  ｔｏ  Ｅｖｅｒｙｔｈｉｎｇ）の通信を指してもよい。Ｖ２Ｘ通信では、Ｘとは無線受信及び送信能力を有する任意の装置を一般的に指してもよく、例えば、低速で移動する無線装置、高速で移動する車載装置、又は無線送受信能力を有するネットワーク制御ノード等を含むが、それらに限らない。理解されるように、本発明実施例は主にＶ２Ｘ通信のシーンに適用するが、他の任意のＤ２Ｄ通信シーンに適用してもよく、本願実施例はそれについて何も限定しない。
【００２６】
複数の通信システムが共存するため、車両インターネットシステムにおけるダウンリンクとサイドリンクは異なる通信システムに基づくという場合があり、例えば、１つはＬＴＥシステムに基づき、１つはＮＲシステムに基づき、そうすると、ネットワークスケジューリングに基づくサイドリンクのデータ伝送においては、以下の情況が存在し得る。
【００２７】
情況１：ＬＴＥシステムに基づくダウンリンクはＬＴＥシステムに基づくサイドリンクをスケジューリングする。
【００２８】
情況２：ＬＴＥシステムに基づくダウンリンクはＮＲシステムに基づくサイドリンクをスケジューリングする。
【００２９】
情況３：ＮＲシステムに基づくダウンリンクはＬＴＥシステムに基づくサイドリンクをスケジューリングする。
【００３０】
情況４：ＮＲシステムに基づくダウンリンクはＮＲシステムに基づくサイドリンクをスケジューリングする。
【００３１】
そうすると、後の３つの情況では、ダウンリンクの時間ユニットとサイドリンクの時間ユニットの大きさが一致しないという情況が存在する場合があり、例えば、情況２では、ＬＴＥシステムに基づくダウンリンクの時間ユニットはサブフレームであり、即ち１ｍｓであり、もしＮＲシステムに基づくサイドリンクの時間ユニットが０．５ｍｓであれば（この場合、ＮＲシステムに基づくサイドリンクのサブキャリア間隔は３０ｋＨｚである）、１つのダウンリンクサブフレームは２つのサイドリンクのタイムスロットに対応する。この場合、もし端末装置は時刻ｎにスケジューリング情報を受信し、ダウンリンクの時間ユニットに基づく時刻ｎ＋４にサイドリンクデータを送信すれば、２つのサイドリンクのタイムスロットに対応する。従って、端末装置はサイドリンクデータの送信時刻を決定しなければ、サイドリンクデータの送信を行えない。
【００３２】
図２は本願実施例によるデータ伝送の方法の模式的なフローチャートである。該方法は車両インターネットにおける端末装置によって実行されることができる。図２に示すように、該方法は以下のＳ２１０〜Ｓ２２０を含んでもよい。
【００３３】
Ｓ２１０、端末装置はネットワーク装置から送信された第１制御情報を受信する。
【００３４】
Ｓ２２０、前記端末装置は前記第１制御情報に基づいてサイドリンクデータの送信時刻を決定する。
【００３５】
具体的に、端末装置はネットワーク装置から送信された第１制御情報を受信してもよい。選択肢として、該第１制御情報はダウンリンク制御情報（ＤＣＩ、Ｄｏｗｎｌｉｎｋ  Ｃｏｎｔｒｏｌ  Ｉｎｆｏｒｍａｔｉｏｎ）であってもよく、又は他のダウンリンク情報であってもよく、本願実施例はそれについて限定しない。該第１制御情報は端末装置がサイドリンクデータの送信時刻を決定することに用いられてもよく、例えば、該第１制御情報はサイドリンクデータの送信時刻を直接又は間接に指示してもよく、これにより、サイドリンクデータを送信する前に、端末装置はネットワーク装置の第１制御情報に基づいて該サイドリンクデータの送信時刻を決定することができ、そして該サイドリンクデータの送信時刻にサイドリンクデータを送信することができ、ダウンリンクとサイドリンクの時間ユニットの大きさが一致しない場合、端末装置がどの時間ユニットにおいてサイドリンクデータを送信するかを把握できないという問題を避けることに利する。
【００３６】
選択肢として、幾つかの実施例では、ネットワーク装置は該第１制御情報を介して該サイドリンクデータの送信時刻を直接に指示してもよく、又は該第１制御情報に含まれる指示情報を介して該サイドリンクデータの送信時刻を指示してもよく、又は特定の方式で該第１制御情報を送信し、該第１制御情報の送信方式によって該サイドリンクデータの送信時刻を暗黙的に指示してもよく、本願実施例はそれについて限定しない。
【００３７】
幾つかの具体的な実施例では、該第１制御情報はＤＣＩであってもよく、該第１制御情報に第１指示情報が含まれてもよく、該第１指示情報は該サイドリンクデータの送信時刻を指示することに用いられてもよい。すなわち、該ネットワーク装置はスケジューリング情報に指示情報を含ませて、サイドリンクデータの送信時刻を端末装置に指示してもよい。
【００３８】
例えば、該第１指示情報は１つ又は複数の時間ユニットのインデックス値を指示することに用いられてもよく、該１つ又は複数の時間ユニットのインデックス値は特定の境界に対するインデックス値であってもよく、これにより、該端末装置は該特定の境界と該インデックス値に基づいてサイドリンクデータの送信時刻を決定することができ、そして、該送信時刻にサイドリンクデータを送信することができる。又は、該第１指示情報は１つの時間ユニットのオフセットを指示することに用いられてもよく、該時間ユニットのオフセットは特定の境界に対する時間ユニットのオフセットであってもよい。例えば、サイドリンクの時間ユニットが０．５ｍｓである場合、該オフセットは４ｍｓ又は４．５ｍｓ等であってもよく、これにより、該端末装置は該特定の境界と該時間ユニットのオフセットに基づいてサイドリンクデータの送信時刻を決定することができ、そして、該送信時刻にサイドリンクデータを送信することができる。
【００３９】
すなわち、該第１指示情報は特定の境界に対してオフセットする時間ユニットの数を指示することに用いられてもよく、又は特定の境界に対してオフセットする時間長さ、即ち特定の境界に対してどのぐらいの時間オフセットするかを指示してもよく、又は他の指示方式で該サイドリンクデータの送信時刻を指示してもよく、本願実施例はそれについて限定しない。なお、以下は主に該第１指示情報が特定の境界に対する時間ユニットのインデックス値を指示することを例として説明するが、それは本願実施例に対して何らの限定となるべきではなく、該第１指示情報が特定の境界に対するオフセットを指示する場合、それに類似する決定方式が採用されてもよく、簡潔のために、繰り返して説明しない。
【００４０】
理解されるように、本願実施例におけるサイドリンクデータはサイドリンク制御チャネル及び／又はサイドリンク共有チャネルを含む。
【００４１】
また理解されるように、本願実施例はダウンリンクの時間ユニット及びサイドリンクの時間ユニットについて具体的な限定をせず、例えば、ダウンリンクの時間ユニットはタイムスロット、サブフレーム又は短伝送時間間隔（ｓＴＴＩ、ｓｈｏｒｔ  Ｔｒａｎｓｍｉｓｓｉｏｎ  Ｔｉｍｅ  Ｉｎｔｅｒｖａｌ）、又は時間長さの計量に使用可能な他の量であってもよく、サイドリンクの時間ユニットはタイムスロット、サブフレーム又はｓＴＴＩ、又は時間長さの計量に使用可能な他の量であってもよい。以下は実施例１〜実施例４を参照しながら、主にサブフレームを例として説明するが、それは本願実施例に対して何らの限定となるべきではない。
【００４２】
実施例１
該特定の境界は無線フレーム境界であり、１つの無線フレームにはＮ個のサイドリンクの時間ユニットが含まれ、前記第１指示情報は前記Ｎ個の時間ユニットのうちの１つ又は複数の時間ユニットのインデックス値を指示することに用いられ、Ｎは１より大きい整数である。この場合、該端末装置は該Ｎ個のサイドリンクの時間ユニットにおける該インデックス値に対応する時間ユニットを、サイドリンクデータの送信時刻として決定してもよい。
【００４３】
１つの具体的な実現方式では、該第１指示情報に指示される時間ユニットのインデックス値は、無線フレームに含まれるＮ個のサイドリンクサブフレームのうちの１つ又は複数のサブフレームのサブフレームインデックスであってもよい。例えば、１つのサイドリンクの無線フレームが１０ｍｓであり、サイドリンクサブフレームが０．５ｍｓであり、即ち２０個のサイドリンクサブフレームが含まれる（インデックス値は０〜１９である）場合、該第１指示情報に指示されるサブフレームインデックスは０〜１９のうちの１つ又は複数であってもよい。
【００４４】
理解されるように、幾つかの場合、該インデックス値に指示される時間ユニットは使用可能ではない可能性がある。例えば、端末装置がスケジューリング情報を受信した後、サイドリンクデータの送信を行えるようになるまでには、一定の処理時間が必要である。もし該インデックス値に指示される時間ユニットが該処理時間内にある場合（情況１と記す）、該時間ユニットは使用可能ではないと考えられてもよく、又は、該インデックス値に指示される時間ユニットはダウンリンクサブフレーム又は特殊サブフレームである可能性があり（情況２と記す）、例えば、ペアのスペクトルシステム（例えば、ＦＤＤ）、又は非ペアのスペクトルシステム（例えば、ＴＤＤ）について、その場合も、該時間ユニットは使用可能ではないと考えられてもよい。各無線フレームのいずれにも同じインデックス値の時間ユニットがあるため、該端末装置は現在の無線フレームの後の他の無線フレーム内の使用可能な該インデックス値に対応する時間ユニットを選択することができ、例えば、該端末装置は１番目の使用可能な該インデックス値に対応する時間ユニットを選択してサイドリンクデータの伝送を行ってもよく、該１番目の使用可能な該インデックス値に対応する時間ユニットは現在の無線フレームの後のｋ１番目の無線フレーム内に位置し、選択肢として、ｋ１は１又は他の値である。
【００４５】
選択肢として、他の幾つかの場合、もし該インデックス値に指示される時間ユニットが使用可能であれば、該端末装置は現在の無線フレーム内の該インデックス値に指示される時間ユニットにおいてサイドリンクデータの伝送を行ってもよい。
【００４６】
総じて言うと、現在の無線フレーム内において、該インデックス値に指示される時間ユニットが使用可能である場合、該端末装置は現在の無線フレーム内の該インデックス値に対応する時間ユニットをサイドリンクデータの送信時刻として決定してもよく、又は、現在の無線フレーム内において、該インデックス値に指示される時間ユニットが使用可能でない場合、該端末装置は現在の無線フレームの後のａ１番目の使用可能な該インデックス値に指示される時間ユニットをサイドリンクデータの送信時刻として決定してもよく、ａ１は１又は他の値であり、又は、該端末装置は現在の無線フレーム内の該インデックス値に指示される時間ユニットの後のｂ１番目の使用可能なサイドリンク時間ユニットをサイドリンクデータの送信時刻として決定してもよく、選択肢として、ｂ１は１又は他の値である。
【００４７】
例えば、１つの無線フレームＰ１内において、ネットワーク装置はダウンリンクサブフレームｐ１においてＤＣＩを送信し、該ダウンリンクサブフレームｐ１はサイドリンクサブフレームｑ１に対応し、ダウンリンクサブフレームｐ１＋４はサイドリンクサブフレームｑ１＋８及びサイドリンクサブフレームｑ１＋９に対応し、該インデックス値はｋ１であり、１つの無線フレーム内のサブフレームインデックスを表すことに用いられ、サイドリンクサブフレームｑ１とサイドリンクサブフレームｑ１＋８との間は端末装置の処理時間であると考えられ、そうすると、サイドリンクサブフレームｋ１とサイドリンクサブフレームｑ１＋８のタイムシーケンスは下記の２つの場合がある。
【００４８】
場合１：該サイドリンクサブフレームｋ１はサイドリンクサブフレームｑ１＋８より早い。
【００４９】
この場合では、サイドリンクサブフレームｋ１は使用可能でないと考えられる。無線フレームＰ１の後の無線フレーム、即ち無線フレームＰ１＋ａ１における該サイドリンクサブフレームｋ１が使用可能である場合、該端末装置は無線フレームＰ１＋ａ１における該サイドリンクサブフレームｋ１に順延してサイドリンクデータを送信してもよく、さもなければ、引き続き順延する。又は、該端末装置は現在の無線フレーム内のサイドリンクサブフレームｑ１＋８又はその後のｂ１番目の使用可能なサイドリンクサブフレームをサイドリンクデータの送信時刻として決定してもよく、ａ１は１又は他の値であり、ｂ１は１又は他の値である。
【００５０】
場合２：該サイドリンクサブフレームｋ１はサイドリンクサブフレームｑ１＋８であり、又はサイドリンクサブフレームｑ１＋８より遅い。
【００５１】
この場合では、サイドリンクサブフレームｋ１は使用可能であると考えられる。そうすると、該端末装置は該現在の無線フレームＰ１におけるサイドリンクサブフレームｋ１においてサイドリンクデータを送信してもよい。
【００５２】
理解されるように、本実施例における無線フレームはサイドリンクにおける無線フレームである。
【００５３】
実施例２
該特定の境界は無線フレーム周期境界であり、１つの無線フレーム周期にはＬ個のサイドリンクの時間ユニットが含まれ、Ｌは１より大きい整数であり、該第１指示情報は該Ｌ個の時間ユニットのうちの１つ又は複数の時間ユニットのインデックス値を指示することに用いられ、この場合、該端末装置は該Ｌ個の時間ユニットにおける該インデックス値に指示される時間ユニットをサイドリンクデータの送信時刻として決定してもよい。
【００５４】
１つの具体的な実現方式では、該第１指示情報に指示される時間ユニットのインデックス値は、無線フレーム周期に含まれるＬ個のサイドリンクサブフレームのうちの１つ又は複数のサブフレームのサブフレームインデックスであってもよい。例えば、無線フレーム周期にＰ（例えば、１０２４）個の無線フレームが含まれ、各無線フレームにＱ（例えば１０）個のサイドリンクサブフレームが含まれる場合、該第１指示情報は、インデックス値０〜１０２３９のうちの１つ又は複数のサブフレームを指示してもよく、当然ながら、２つのレベルのインデックス（例えば、無線フレームインデックス値及びサブフレームインデックス値）を採用して１つの無線フレーム周期における１つ又は複数のサブフレームを指示してもよい。
【００５５】
実施例１と類似して、幾つかの場合、該インデックス値に指示される時間ユニットは使用可能でない場合も存在する可能性がある。例えば、前述の場合１又は場合２について、各無線フレーム周期のいずれにも同じインデックス値の時間ユニットがあるため、該端末装置は現在の無線フレームの後の他の無線フレーム周期内の使用可能な該インデックス値に対応する時間ユニットを選択することができる。例えば、該端末装置は１番目の使用可能な該インデックス値に対応する時間ユニットを選択してサイドリンクデータの伝送を行ってもよく、該１番目の使用可能な該インデックス値に対応する時間ユニットは現在の無線フレーム周期の後のｋ２番目の無線フレーム周期内に位置し、ｋ２は１又は他の値である。
【００５６】
選択肢として、他の幾つかの場合、もし該インデックス値に指示される時間ユニットが使用可能であれば、該端末装置は現在の無線フレーム周期内の該インデックス値に指示される時間ユニットにおいてサイドリンクデータの伝送を行ってもよい。
【００５７】
総じて言うと、現在の無線フレーム周期内において、該インデックス値に指示される時間ユニットが使用可能である場合、該端末装置は現在の無線フレーム周期内の該インデックス値に対応する時間ユニットをサイドリンクデータの送信時刻として決定してもよい。現在の無線フレーム周期内において、該インデックス値に指示される時間ユニットが使用可能でない場合、該端末装置は現在の無線フレーム周期の後のａ２番目の使用可能な該インデックス値に指示される時間ユニットをサイドリンクデータの送信時刻として決定してもよく、ａ２は１又は他の値であり、又は、該端末装置は現在の無線フレーム周期内の該インデックス値に指示される時間ユニットの後のｂ２番目の使用可能なサイドリンク時間ユニットをサイドリンクデータの送信時刻として決定してもよく、選択肢として、ｂ２は１又は他の値である。
【００５８】
例えば、１つの無線フレーム周期Ｃ１内において、ネットワーク装置はダウンリンクサブフレームｐ２においてＤＣＩを送信し、該ダウンリンクサブフレームｐ２はサイドリンクサブフレームｑ２に対応し、ダウンリンクサブフレームｐ２＋４はサイドリンクサブフレームｑ２＋８及びサイドリンクサブフレームｑ２＋９に対応し、該インデックス値はｋ２であり、１つの無線フレーム周期内のサブフレームインデックスを表すことに用いられ、サイドリンクサブフレームｑ２とサイドリンクサブフレームｑ２＋８との間は端末装置の処理時間であると考えられ、そうすると、サイドリンクサブフレームｋ２とサイドリンクサブフレームｑ２＋８のタイムシーケンスは下記の２つの場合がある。
【００５９】
場合１：該サイドリンクサブフレームｋ２はサイドリンクサブフレームｑ２＋８より早い。
【００６０】
この場合では、サイドリンクサブフレームｋ２は使用可能でないと考えられる。無線フレーム周期Ｃ１の後の無線フレーム周期、即ち無線フレーム周期Ｃ１＋ａ２における該サイドリンクサブフレームｋ２が使用可能である場合、該端末装置は無線フレーム周期Ｃ１＋ａ２における該サイドリンクサブフレームｋ２に順延してサイドリンクデータを送信してもよく、さもなければ、引き続き順延する。又は、該端末装置は現在の無線フレーム周期内のサイドリンクサブフレームｑ２＋８又はその後のｂ２番目の使用可能なサイドリンクサブフレームをサイドリンクデータの送信時刻として決定してもよい。
【００６１】
場合２：該サイドリンクサブフレームｋ２はサイドリンクサブフレームｑ２＋８であり、又はサイドリンクサブフレームｑ２＋８より遅い。
【００６２】
この場合では、サイドリンクサブフレームｋ２は使用可能であると考えられる。該端末装置は該現在の無線フレーム周期Ｃ１におけるサイドリンクサブフレームｋ２においてサイドリンクデータを送信してもよい。
【００６３】
実施例３
前記特定の境界は第１サイドリンク時間ユニットであり、前記第１サイドリンク時間ユニットは第２サイドリンク時間ユニットに基づいて決定され、前記第２サイドリンク時間ユニットは前記端末装置が前記第１制御情報を受信するサイドリンクにおける時間ユニットであり、前記第１指示情報は前記第１サイドリンク時間ユニットの１つ又は複数の時間ユニットに対するインデックス値を指示することに用いられる。
【００６４】
従って、該第１指示情報に基づいて、該端末装置は該第１サイドリンク時間ユニットの後のｍ番目のサイドリンク時間ユニットをサイドリンクデータの送信時刻として決定してもよい。又は、該ｍ番目のサイドリンク時間ユニットが使用可能でない場合（例えば場合１又は場合２について）、該端末装置は該ｍ番目のサイドリンク時間ユニットの後のａ３番目の使用可能なサイドリンク時間ユニットをサイドリンクデータの送信時刻として決定してもよく、例えば、ａ３は１又は他の値であり、該ｍは第１指示情報に指示されるインデックス値である。
【００６５】
選択肢として、幾つかの実施例では、前記第１サイドリンク時間ユニットが第２サイドリンク時間ユニットに基づいて決定されることは、該第２サイドリンク時間ユニットを該第１サイドリンク時間ユニットとして決定し、又は該第２サイドリンク時間ユニットの後のＫ１番目のサイドリンク時間ユニットを該第１サイドリンク時間ユニットとして決定することを含んでもよく、Ｋ１は１以上の整数であり、選択肢として、該Ｋ１は２、４、８等であってもよい。
【００６６】
すなわち、端末装置はスケジューリング情報を受信するサイドリンク時間ユニット、又はその後のあるサイドリンク時間ユニットを境界として、該インデックス値を参照しながら、該サイドリンクデータの送信時刻を決定してもよい。
【００６７】
前述の実施例と類似して、インデックス値に指示される時間ユニットが使用可能でない場合、該端末装置は第１サイドリンク時間ユニットの後のａ３番目の使用可能なサイドリンク時間ユニットにおいてサイドリンクデータを送信してもよく、ａ３は１又は他の値であってもよい。
【００６８】
幾つかの具体的な実施例では、該特定の境界は第１サイドリンクサブフレームであってもよく、端末装置は該第１制御情報を受信した第２サイドリンクサブフレームを該第１サイドリンクサブフレームとして決定し、又は、端末装置は該第１制御情報を受信した第２サイドリンクサブフレームの後のＫ１番目のサイドリンクサブフレームを該第１サイドリンクサブフレームとして決定し、Ｋ１は事前設定され又はネットワークによって設定されたものであってもよく、選択肢として、Ｋ１は２、４、８等であってもよい。該実施例は１つのダウンリンクサブフレームが複数のサイドリンクサブフレームに対応するシーン（シーン１）に適し、そして、１つのサイドリンクサブフレームが複数のダウンリンクサブフレームに対応するシーン（シーン２）にも適する。以下は２つのシーンを参照しながら、例を挙げて具体的な実現方式を説明する。
【００６９】
シーン１
１つのダウンリンクサブフレームは２つのサイドリンクサブフレームに対応し、端末装置はサイドリンクサブフレームｑ３（ダウンリンクサブフレームｐ３に対応する）においてＤＣＩを受信し、ダウンリンクサブフレームｐ３＋４はサイドリンクサブフレームｑ３＋８とサイドリンクサブフレームｑ３＋９に対応する。ダウンリンクサブフレームｐ３とダウンリンクサブフレームｐ３＋４の間は端末装置の処理時間であると考えられる。図３に示される。
【００７０】
場合１：該特定の境界はサイドリンクサブフレームｑ３である。
【００７１】
インデックス値が８であり、該インデックス値はサイドリンクサブフレームｑ３に対するものである場合、端末装置はサイドリンクサブフレームｑ３＋８をサイドリンクデータの送信時刻として決定してもよく、そしてサイドリンクサブフレームｑ３＋８においてサイドリンクデータを送信してもよい。
【００７２】
場合２：該特定の境界はサイドリンクサブフレームｑ３＋８である。
【００７３】
該インデックス値は０又は１であってもよく、サイドリンクサブフレームｑ３＋８に対するものであり、それぞれダウンリンクサブフレームｐ３＋４に対応するサイドリンクサブフレームｑ３＋８とサイドリンクサブフレームｑ３＋９を指示することに用いられ、これにより、該端末装置はインデックス値に基づいて、該ダウンリンクサブフレームｐ３＋４に対応するどのサイドリンクサブフレームにおいてサイドリンクデータを伝送するかを決定する。
【００７４】
シーン２
１つのサイドリンクサブフレームは２つのダウンリンクサブフレームに対応し、端末装置はサイドリンクサブフレームｑ３（ダウンリンクサブフレームｐ３に対応する）においてＤＣＩを受信し、この場合、サイドリンクサブフレームｑ３＋２はダウンリンクサブフレームｐ３＋４に対応し、図４Ａと図４Ｂに示すように、図４Ａと図４Ｂとの相違点は、ダウンリンクサブフレームｐ３とサイドリンクサブフレームｑ３は揃えられてもよく、一定のオフセットを有してもよいことである。
【００７５】
場合１：該特定の境界はサイドリンクサブフレームｑ３である。
【００７６】
インデックス値が２であり、該インデックス値はサイドリンクサブフレームｑ３に対するものである場合、端末装置はサイドリンクサブフレームｑ３＋２においてサイドリンクデータを送信してもよい。
【００７７】
場合２：該特定の境界はサイドリンクサブフレームｑ３＋２であってもよい。
【００７８】
該インデックス値は０であってもよく、ダウンリンクサブフレームｐ３＋４に対応するサイドリンクサブフレームｑ３＋２を指示することに用いられ、この場合、端末装置はサイドリンクサブフレームｑ３＋２においてサイドリンクデータを送信してもよい。
【００７９】
実施例４
前記特定の境界は第１ダウンリンク時間ユニットであり、前記第１ダウンリンク時間ユニットは第２ダウンリンク時間ユニットに基づいて決定され、前記第２ダウンリンク時間ユニットは前記端末装置が前記第１制御情報を受信するダウンリンクにおける時間ユニットであり、前記第１指示情報は前記第１ダウンリンク時間ユニットに対する時間ユニットのインデックス値を指示することに用いられる。
【００８０】
従って、第１指示情報に基づいて、該端末装置は該第１ダウンリンク時間ユニットの後のｎ番目のサイドリンク時間ユニットをサイドリンクデータの送信時刻として決定してもよい。又は、該ｎ番目のサイドリンク時間ユニットが使用可能でない場合、該端末装置は該ｎ番目のサイドリンク時間ユニットの後のａ４番目の使用可能なサイドリンク時間ユニットをサイドリンクデータの送信時刻として決定してもよく、選択肢として、ａ４は１又は他の値であり、ｎは第１指示情報に指示されるインデックス値である。
【００８１】
選択肢として、幾つかの実施例では、前記第１ダウンリンク時間ユニットが第２ダウンリンク時間ユニットに基づいて決定されることは、該第２ダウンリンク時間ユニットを該第１ダウンリンク時間ユニットとして決定し、又は該第２ダウンリンク時間ユニットの後のＫ２番目のダウンリンク時間ユニットを該第１ダウンリンク時間ユニットとして決定することを含んでもよく、Ｋ２は１より大きい整数であり、選択肢として、該Ｋ２は２、４、８等であってもよい。
【００８２】
すなわち、端末装置は端末装置がスケジューリング情報を受信するダウンリンク時間ユニット、又はその後のあるダウンリンク時間ユニットを境界として、該インデックス値を参照しながら、該サイドリンクデータの送信時刻を決定してもよい。
【００８３】
前述の実施例と類似して、インデックス値に指示される時間ユニットが使用可能でない場合、該端末装置は第１ダウンリンク時間ユニットの後のａ４番目の使用可能なサイドリンク時間ユニットにおいてサイドリンクデータを送信してもよく、ａ４は１又は他の値であってもよい。
【００８４】
幾つかの具体的な実施例では、該特定の境界は第１ダウンリンクサブフレームであってもよく、端末装置は該第１制御情報を受信した第２ダウンリンクサブフレームを該第１ダウンリンクサブフレームとして決定し、又は、端末装置は該第１制御情報を受信した第２ダウンリンクサブフレームの後のＫ２番目のダウンリンクサブフレームを該第１サイドリンクサブフレームとして決定してもよく、Ｋ２は事前設定され又はネットワークによって設定されたものであってもよく、選択肢として、Ｋ２は２、４、８等であってもよい。該実施例は上記のシーン１及びシーン２にも適する。以下は２つのシーンを参照しながら、例を挙げて具体的な実現方式を説明する。
【００８５】
シーン１
１つのダウンリンクサブフレームは２つのサイドリンクサブフレームに対応し、端末装置はダウンリンクサブフレームｐ４（サイドリンクサブフレームｑ４に対応する）においてＤＣＩを受信し、この場合、ダウンリンクサブフレームｐ４＋４はサイドリンクサブフレームｑ４＋８とサイドリンクサブフレームｑ４＋９に対応し、ダウンリンクサブフレームｐ４とダウンリンクサブフレームｐ４＋４の間は端末装置の処理時間であると考えられる。図３に示される。
【００８６】
場合１：該特定の境界はダウンリンクサブフレームｐ４である。
【００８７】
インデックス値が８であり、該インデックス値はダウンリンクサブフレームｐ４に対するものである場合、端末装置はダウンリンクサブフレームｐ４に対応するサイドリンクサブフレームｑ４の後の８番目のサイドリンクサブフレームにおいてサイドリンクデータを送信してもよい。
【００８８】
場合２：該特定の境界はダウンリンクサブフレームｐ４＋４である。
【００８９】
該インデックス値は０又は１であってもよく、該インデックス値はダウンリンクサブフレームｐ４＋４に対するものであり、それぞれダウンリンクサブフレームｐ４＋４に対応するサイドリンクサブフレームｑ４＋８とサイドリンクサブフレームｑ４＋９を指示し、この場合、該端末装置は該インデックス値に基づいて、ダウンリンクサブフレームｐ４＋４に対応するサイドリンクサブフレームｑ４＋８それともサイドリンクサブフレームｑ４＋９においてサイドリンクデータを送信するかを決定してもよい。
【００９０】
シーン２
図４Ａ又は図４Ｂに示すように、１つのサイドリンクサブフレームは２つのダウンリンクサブフレームに対応し、端末装置はダウンリンクサブフレームｐ４（サイドリンクサブフレームｑ４に対応する）においてＤＣＩを受信し、ダウンリンクサブフレームｐ４＋４はサイドリンクサブフレームｑ４＋２に対応する。
【００９１】
場合１：該特定の境界はダウンリンクサブフレームｐ４であってもよい。
【００９２】
インデックス値が４であり、該インデックス値はダウンリンクサブフレームｐ４に対するものである場合、端末装置はダウンリンクサブフレームｐ４の後の４番目のダウンリンクサブフレームに対応するサイドリンクサブフレームにおいてサイドリンクデータを送信してもよく、即ち、サイドリンクサブフレームｑ４＋２においてサイドリンクデータを送信する。
【００９３】
場合２：該特定の境界はダウンリンクサブフレームｐ４＋４である。
【００９４】
インデックス値が０であり、該インデックス値はダウンリンクサブフレームｐ４＋４に対するものである場合、端末装置はダウンリンクサブフレームｐ４＋４に対応するサイドリンクサブフレームｑ４＋２においてサイドリンクデータを送信してもよい。
【００９５】
理解されるように、上記実施例における端末の処理時間は例示的な説明に過ぎず、具体的な処理時間の長さは端末の処理能力によって決まる。
【００９６】
選択肢として、幾つかの実施例では、前記端末装置が前記第１制御情報に基づいてサイドリンクデータの送信時刻を決定することは、
前記端末装置が前記第１制御情報、第１サブキャリア間隔及び第２サブキャリア間隔に基づいてサイドリンクデータの送信時刻を決定することを含み、
前記第１サブキャリア間隔は前記第１制御情報の所在するキャリア又は帯域幅部分（ＢＷＰ、Ｂａｎｄｗｉｄｔｈ  Ｐａｒｔ）のサブキャリア間隔であり、前記第２サブキャリア間隔は前記サイドリンクデータの所在するキャリア、ＢＷＰ又はリソースプールのサブキャリア間隔である。
【００９７】
前述の実施例では、該第１指示情報における指示に使用できるインデックス又はオフセット等のパラメータは、サイドリンクにおける時間ユニットの粒度で指示してもよい。他の幾つかの実施例では、該第１指示情報における指示に使用できるインデックス又はオフセット等のパラメータは、ダウンリンクにおける時間ユニットの粒度で指示してもよく、この場合、更にサイドリンクにおけるインデックス又はオフセット、即ち該サイドリンクデータの送信時刻に決定するのに、ダウンリンクにおける時間ユニットとサイドリンクにおける時間ユニットの粒度関係が必要である。
【００９８】
具体的に、該端末装置は該第１制御情報に基づいて、第１サブキャリア間隔及び第２サブキャリア間隔を参照しながら、サイドリンクデータの送信時刻を決定してもよい。該第１サブキャリア間隔及び第２サブキャリア間隔は１つのダウンリンク時間ユニットに対応するサイドリンク時間ユニットの個数を決定することに用いられ、例えば、１つのダウンリンク時間ユニットが２つのサイドリンク時間ユニットに対応する場合、第１指示情報に指示されるインデックス又はオフセットが２であることに基づいて、サイドリンクにおけるインデックス又はオフセットが４であることを決定でき、即ち、該サイドリンクデータの送信時刻は特定の境界に対するオフセットが４である時間領域位置である。
【００９９】
選択肢として、幾つかの実施例では、前記方法２００は更に、
前記端末装置が第１設定情報を取得し、前記第１設定情報に基づいて前記第１サブキャリア間隔を決定することと、
前記端末装置が第２設定情報を取得し、前記第２設定情報に基づいて前記第２サブキャリア間隔を決定することと、を含む。
【０１００】
選択肢として、前記第１設定情報は該第１サブキャリア間隔を指示することに用いられてもよく、該第２設定情報は該第２サブキャリア間隔を指示することに用いられてもよい。
【０１０１】
選択肢として、前記第１設定情報は事前設定され又はネットワークによって設定された情報であり、例えば、ネットワーク装置は上位層シグナリング、例えば、無線リソース制御（ＲＲＣ、Ｒａｄｉｏ  Ｒｅｓｏｕｒｃｅ  Ｃｏｎｔｒｏｌ）シグナリングを介して前記端末装置に該第１設定情報を送信してもよい。
【０１０２】
選択肢として、前記第２設定情報は事前設定され又はネットワークによって設定された情報であり、例えば、ネットワーク装置は上位層シグナリング、例えば、ＲＲＣシグナリングを介して前記端末装置に該第２設定情報を送信してもよい。
【０１０３】
選択肢として、前記第１設定情報と前記第２設定情報は同一の設定情報又は異なる設定情報であってもよく、本願実施例はそれについて限定しない。
【０１０４】
理解されるように、上記のサイドリンクデータの送信時刻の指示方式は単に例示的なものであり、上記の実施例は単独に使用されても組み合わせて使用されてもよく、又は、該第１制御情報の送信方式と組み合わせて使用されてもよい。例えば、まず第１制御情報の送信方式に基づいて該第１指示情報に指示されるインデックス値を決定してもよく、更に上記の実施例の決定方式に基づいて、サイドリンクデータの送信時刻を決定してもよい。
【０１０５】
例示として、制限的ではないが、該第１制御情報の送信方式とは、該第１制御情報を送信する際に使用される物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）リソース、サーチスペース、アグリゲーションレベル、ビーム、アンテナポート、プリコーディング行列、変調及び符号化スキーム（ＭＣＳ、Ｍｏｄｕｌａｔｉｏｎ  ａｎｄ  Ｃｏｄｉｎｇ  Ｓｃｈｅｍｅ）、該第１制御情報を処理する際に採用されるマスクコードシーケンス、スクランブルコードシーケンス、復調参照信号（ＤＭＲＳ、Ｄｅｍｏｄｕｌａｔｉｏｎ  Ｒｅｆｅｒｅｎｃｅ  Ｓｉｇｎａｌ）シーケンス等のシーケンス情報、無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｔｙ）等のうちの少なくとも１つを指してもよい。
【０１０６】
選択肢として、幾つかの実施例では、該第１制御情報の送信方式はサイドリンクデータの送信時刻と第１対応関係を有してもよく、そうすると、該端末装置は該第１制御情報の送信方式に基づいて、該第１対応関係を参照しながら、サイドリンクデータの送信時刻を決定してもよい。
【０１０７】
例えば、異なるマスクコードシーケンスは異なるサイドリンクデータの送信時刻に対応してもよく、ネットワーク装置は異なるマスクコードシーケンスを介して該第１制御情報に対してマスク処理を行って、端末装置に異なるサイドリンクデータの送信時刻を指示してもよく、そこで、該端末装置は異なるマスクコードシーケンスを使用して該第１制御情報に対して処理を行い、ネットワーク装置の使用したマスクコードシーケンスを判断し、そして該第１対応関係を参照しながら、ネットワーク装置に指示されるサイドリンクデータの送信時刻を決定してもよい。例えば、マスクコードシーケンス１がインデックス値０に対応し、マスクコードシーケンス２がインデックス値１に対応する場合、該ネットワーク装置はマスクコードシーケンス２を使用して該第１制御情報に対してマスク処理を行ってもよく、端末装置はマスクコードシーケンス０とマスクコードシーケンス１を使用して該第１制御情報に対して処理を行い、該ネットワーク装置が使用したのはマスクコードシーケンス１であることを決定することができ、そして対応するインデックス値１を決定でき、そして、該端末装置はインデックス値１に指示される時間ユニットをサイドリンクデータの送信時刻として決定することができる。具体的な実行プロセスは前述の実施例の関連説明を参照でき、ここでは繰り返して説明しない。
【０１０８】
また例えば、異なるサーチスペースは異なるサイドリンクデータの送信時刻に対応してもよく、ネットワーク装置は異なるサーチスペースを介して該第１制御情報を送信して、端末装置に異なるサイドリンクデータの送信時刻を指示してもよく、そこで、該端末装置は該第１制御情報を受信するサーチスペースに基づいて、該第１対応関係を参照しながら、ネットワーク装置に指示されるサイドリンクデータの送信時刻を決定してもよい。例えば、サーチスペース１がインデックス値０に対応し、サーチスペース２がインデックス値１に対応する場合、ネットワーク装置はサーチスペース１を使用して該第１制御情報を送信し、端末装置は該第１制御情報を受信するサーチスペースに基づいて、対応するインデックス値が０であることを決定することができ、そして、該端末装置はインデックス値１に指示される時間ユニットをサイドリンクデータの送信時刻として決定することができる。具体的な実行プロセスは前述の実施例の関連説明を参照でき、ここでは繰り返して説明しない。
【０１０９】
選択肢として、ネットワーク装置は異なるＲＮＴＩ又はＰＤＣＣＨリソース等の情報又はパラメータを使用してサイドリンクデータの異なる送信時刻を暗黙的に指示してもよく、簡潔のために、ここでは繰り返して説明しない。
【０１１０】
従って、本願実施例のデータ伝送方法によれば、端末装置はネットワーク装置の第１制御情報に含まれる指示情報に基づいて、又は該第１制御情報の送信方式等の方式によって、ネットワーク装置のスケジューリングするサイドリンクデータの送信時刻を決定してもよく、それによって、端末装置は該送信時刻にサイドリンクデータを送信することができる。
【０１１１】
以上は図２〜図４を参照しながら、本願の方法実施例を詳しく説明したが、以下は図５〜図７を参照しながら、本願の装置実施例を詳しく説明する。理解されるように、装置実施例は方法実施例と相互に対応し、類似する説明については方法実施例を参照してもよい。
【０１１２】
図５は本願実施例による端末装置の構造模式図であり、図５に示すように、該端末装置３００は、
ネットワーク装置から送信された第１制御情報を受信することに用いられる通信モジュール３１０と、
前記第１制御情報に基づいてサイドリンクデータの送信時刻を決定することに用いられる決定モジュール３２０と、を備える。
【０１１３】
選択肢として、幾つかの実施例では、前記第１制御情報はダウンリンク制御情報（ＤＣＩ）であり、前記決定モジュールは具体的に、
前記第１制御情報に含まれる第１指示情報に基づいて、サイドリンクデータの送信時刻を決定することに用いられる。
【０１１４】
選択肢として、幾つかの実施例では、前記第１指示情報は特定の境界に対する時間ユニットのインデックス値又はオフセットを指示することに用いられ、前記決定モジュールは更に、
前記特定の境界と前記インデックス値に基づいて、前記サイドリンクデータの送信時刻を決定することに用いられる。
【０１１５】
選択肢として、幾つかの実施例では、前記特定の境界は無線フレーム境界であり、１つの無線フレームにはＮ個のサイドリンクの時間ユニットが含まれ、前記第１指示情報は前記Ｎ個の時間ユニットのうちの１つ又は複数の時間ユニットのインデックス値を指示することに用いられ、Ｎは１より大きい整数である。
【０１１６】
選択肢として、幾つかの実施例では、前記決定モジュールは更に、
前記Ｎ個のサイドリンクの時間ユニットにおける前記インデックス値に指示される時間ユニットを、前記サイドリンクデータの送信時刻として決定することに用いられる。
【０１１７】
選択肢として、幾つかの実施例では、前記特定の境界は無線フレーム周期境界であり、１つの無線フレーム周期にはＬ個のサイドリンクの時間ユニットが含まれ、前記第１指示情報は前記Ｌ個の時間ユニットのうちの１つ又は複数の時間ユニットのインデックス値を指示することに用いられ、Ｌは１より大きい整数である。
【０１１８】
選択肢として、幾つかの実施例では、前記決定モジュールは更に、
前記Ｌ個のサイドリンクの時間ユニットにおける前記インデックス値に指示される時間ユニットを、前記サイドリンクデータの送信時刻として決定することに用いられる。
【０１１９】
選択肢として、幾つかの実施例では、前記特定の境界は第１サイドリンク時間ユニットであり、前記第１サイドリンク時間ユニットは第２サイドリンク時間ユニットに基づいて決定され、前記第２サイドリンク時間ユニットは前記端末装置が前記第１制御情報を受信するサイドリンクにおける時間ユニットであり、前記第１指示情報は前記第１サイドリンク時間ユニットに対する時間ユニットのインデックス値を指示することに用いられる。
【０１２０】
選択肢として、幾つかの実施例では、前記決定モジュールは更に、
前記第１サイドリンク時間ユニットの後のｍ番目のサイドリンク時間ユニットを、前記サイドリンクデータの送信時刻として決定すること、又は、
前記第１サイドリンク時間ユニットにｍ個のサイドリンク時間ユニットを加えた後の１番目の使用可能なサイドリンク時間ユニットを、前記サイドリンクデータの送信時刻として決定することに用いられ、
前記ｍは前記インデックス値である。
【０１２１】
選択肢として、幾つかの実施例では、前記特定の境界は第１ダウンリンク時間ユニットであり、前記第１ダウンリンク時間ユニットは第２ダウンリンク時間ユニットに基づいて決定され、前記第２ダウンリンク時間ユニットは前記端末装置が前記第１制御情報を受信するダウンリンクにおける時間ユニットであり、前記第１指示情報は前記第１ダウンリンク時間ユニットに対する時間ユニットのインデックス値を指示することに用いられる。
【０１２２】
選択肢として、幾つかの実施例では、前記決定モジュールは更に、
前記第１ダウンリンク時間ユニットの後のｎ番目のサイドリンク時間ユニットを、前記サイドリンクデータの送信時刻として決定すること、又は、
前記第１ダウンリンク時間ユニットにｎ個のサイドリンク時間ユニットを加えた後の１番目の使用可能なサイドリンク時間ユニットを、前記サイドリンクデータの送信時刻として決定することに用いられ、
前記ｎは前記インデックス値である。
【０１２３】
選択肢として、幾つかの実施例では、前記決定モジュールは更に、前記第１制御情報に対応するシーケンス情報、無線ネットワーク一時識別子（ＲＮＴＩ）、サーチスペース、アグリゲーションレベル、送信リソースのうちの少なくとも１つに基づいて、前記サイドリンクデータの送信時刻を決定することに用いられる。
【０１２４】
選択肢として、幾つかの実施例では、前記決定モジュールは更に、
前記第１制御情報に対応するシーケンス情報、無線ネットワーク一時識別子（ＲＮＴＩ）、サーチスペース、アグリゲーションレベル、リソースのうちの少なくとも１つ、及び第１対応関係に基づいて、前記サイドリンクデータの送信時刻を決定することに用いられ、
前記第１対応関係はシーケンス情報、無線ネットワーク一時識別子（ＲＮＴＩ）、サーチスペース、アグリゲーションレベル、リソースのうちの少なくとも１つと時間ユニットインデックスとの対応関係である。
【０１２５】
選択肢として、幾つかの実施例では、前記シーケンス情報はマスクコードシーケンス、スクランブルコードシーケンス、復調参照信号（ＤＭＲＳ）シーケンスのうちの少なくとも１つである。
【０１２６】
選択肢として、幾つかの実施例では、前記決定モジュール３２０は更に、
前記第１制御情報、第１サブキャリア間隔及び第２サブキャリア間隔に基づいてサイドリンクデータの送信時刻を決定することに用いられ、
前記第１サブキャリア間隔は前記第１制御情報の所在するキャリア又は帯域幅部分（ＢＷＰ、Ｂａｎｄｗｉｄｔｈ  Ｐａｒｔ）のサブキャリア間隔であり、前記第２サブキャリア間隔は前記サイドリンクデータの所在するキャリア、ＢＷＰ又はリソースプールのサブキャリア間隔である。
【０１２７】
選択肢として、幾つかの実施例では、前記通信モジュール３１０は更に、第１設定情報を取得することに用いられ、
前記決定モジュール３２０は更に、前記第１設定情報に基づいて前記第１サブキャリア間隔を決定することに用いられ、
前記通信モジュール３１０は更に、第２設定情報を取得することに用いられ、
前記決定モジュール３２０は更に、前記第２設定情報に基づいて前記第２サブキャリア間隔を決定することに用いられる。
【０１２８】
選択肢として、幾つかの実施例では、前記第１設定情報は事前設定され又はネットワークによって設定された情報であり、又は、前記第２設定情報は事前設定され又はネットワークによって設定された情報である。
【０１２９】
選択肢として、幾つかの実施例では、前記時間ユニットはサブフレーム又はタイムスロットである。
【０１３０】
図６は本願実施例による通信装置６００の構造模式図である。図６に示す通信装置６００はプロセッサ６１０を備え、プロセッサ６１０はコンピュータプログラムをメモリから呼び出して実行して、本願実施例における方法を実現することができる。
【０１３１】
選択肢として、図６に示すように、通信装置６００は更にメモリ６２０を備えてもよい。プロセッサ６１０はコンピュータプログラムをメモリ６２０から呼び出して実行して、本願実施例における方法を実現することができる。
【０１３２】
メモリ６２０はプロセッサ６１０から独立した１つの単独のデバイスであってもよく、プロセッサ６１０に集積されてもよい。
【０１３３】
選択肢として、図５に示すように、通信装置６００は更に送受信機６３０を備えてもよく、プロセッサ６１０は他の装置と通信するように該送受信機６３０を制御することができ、具体的に、他の装置に情報又はデータを送信し、又は他の装置から送信された情報又はデータを受信することができる。
【０１３４】
送受信機６３０は送信機と受信機を備えてもよい。送受信機６３０は更にアンテナを備えてもよく、アンテナの数は１つ又は複数であってもよい。
【０１３５】
選択肢として、該通信装置６００は具体的に本願実施例のモバイル端末／端末装置であってもよく、そして該通信装置６００は本願実施例の各方法におけるモバイル端末／端末装置によって実現される相応のプロセスを実現でき、簡潔のために、ここでは繰り返して説明しない。
【０１３６】
図７は本願実施例のチップの構造模式図である。図７に示すチップ７００はプロセッサ７１０を備え、プロセッサ７１０はコンピュータプログラムをメモリから呼び出して実行して、本願実施例における方法を実現することができる。
【０１３７】
選択肢として、図７に示すように、チップ７００は更にメモリ７２０を備えてもよい。プロセッサ７１０はコンピュータプログラムをメモリ７２０から呼び出して実行して、本願実施例における方法を実現することができる。
【０１３８】
メモリ７２０はプロセッサ７１０から独立した１つの単独のデバイスであってもよく、プロセッサ７１０に集積されてもよい。
【０１３９】
選択肢として、該チップ７００は更に入力インタフェース７３０を備えてもよい。プロセッサ７１０は他の装置又はチップと通信するように該入力インタフェース７３０を制御することができ、具体的に、他の装置又はチップから送信された情報又はデータを取得することができる。
【０１４０】
選択肢として、該チップ７００は更に出力インタフェース７４０を備えてもよい。プロセッサ７１０は他の装置又はチップと通信するように該出力インタフェース７４０を制御することができ、具体的に、他の装置又はチップに情報又はデータを出力することができる。
【０１４１】
選択肢として、該チップは本願実施例におけるモバイル端末／端末装置に適用されてもよく、そして該チップは本願実施例の各方法におけるモバイル端末／端末装置によって実現される相応のプロセスを実現でき、簡潔のために、ここでは繰り返して説明しない。
【０１４２】
理解されるように、本願実施例で言及されるチップはまたシステムレベルチップ、システムチップ、チップシステム、又はシステムオンチップ等と称されてもよい。
【０１４３】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記のプロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本願実施例に開示される各方法、ステップ及び論理ブロック図を実現又は実行することができる。汎用プロセッサはマイクロプロセッサであってもよく、又は該プロセッサは如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１４４】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、これらに限らないように意図されている。
【０１４５】
理解されるように、上記メモリの記載は例示的であって制限的なものではなく、例えば、本願実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願実施例におけるメモリはこれらのメモリ及び任意の他の適切なタイプのメモリを含むが、これらに限らないように意図されている。
【０１４６】
本願実施例は更にコンピュータ可読記憶媒体を提供し、コンピュータプログラムを記憶することに用いられる。
【０１４７】
選択肢として、該コンピュータ可読記憶媒体は本願実施例におけるネットワーク装置に適用されてもよく、そして該コンピュータプログラムはコンピュータに本願実施例の各方法におけるネットワーク装置によって実現される相応のプロセスを実行させ、簡潔のために、ここでは繰り返して説明しない。
【０１４８】
選択肢として、該コンピュータ可読記憶媒体は本願実施例におけるモバイル端末／端末装置に適用されてもよく、そして該コンピュータプログラムはコンピュータに本願実施例の各方法におけるモバイル端末／端末装置によって実現される相応のプロセスを実行させ、簡潔のために、ここでは繰り返して説明しない。
【０１４９】
本願実施例は更にコンピュータプログラム製品を提供し、コンピュータプログラム命令を含む。
【０１５０】
選択肢として、該コンピュータプログラム製品は本願実施例におけるネットワーク装置に適用されてもよく、そして該コンピュータプログラム命令はコンピュータに本願実施例の各方法におけるネットワーク装置によって実現される相応のプロセスを実行させ、簡潔のために、ここでは繰り返して説明しない。
【０１５１】
選択肢として、該コンピュータプログラム製品は本願実施例におけるモバイル端末／端末装置に適用されてもよく、そして該コンピュータプログラム命令はコンピュータに本願実施例の各方法におけるモバイル端末／端末装置によって実現される相応のプロセスを実行させ、簡潔のために、ここでは繰り返して説明しない。
【０１５２】
本願実施例は更にコンピュータプログラムを提供する。
【０１５３】
選択肢として、該コンピュータプログラムは本願実施例におけるネットワーク装置に適用されてもよく、該コンピュータプログラムがコンピュータにおいて実行される時、コンピュータは本願実施例の各方法におけるネットワーク装置によって実現される相応のプロセスを実行し、簡潔のために、ここでは繰り返して説明しない。
【０１５４】
選択肢として、該コンピュータプログラムは本願実施例におけるモバイル端末／端末装置に適用されてもよく、該コンピュータプログラムがコンピュータにおいて実行される時、コンピュータは本願実施例の各方法におけるモバイル端末／端末装置によって実現される相応のプロセスを実行し、簡潔のために、ここでは繰り返して説明しない。
【０１５５】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１５６】
当業者が明確に理解できるように、説明を容易で簡単にするために、上記説明されたシステム、装置及びユニットの具体的な動作過程については、前述の方法実施例における対応する過程を参照でき、ここでは繰り返して説明しない。
【０１５７】
本願に係る幾つかの実施例において、理解されるように、開示されるシステム、装置及び方法は他の方式で実現されてもよい。例えば、上記の装置実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【０１５８】
分離部材として説明された前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１５９】
また、本願の各実施例において、各機能ユニットは１つの処理ユニットに統合されてもよく、各ユニットは独立して物理的に存在してもよく、２つ以上のユニットが１つのユニットに統合されてもよい。
【０１６０】
前記機能はソフトウェア機能ユニットの形で実現され、そして独立した製品として販売又は使用される場合、１つのコンピュータ読み取り可能な記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体はＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１６１】
以上の説明は単に本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021527997.tif 000003
【図２】
2021527997.tif 000004
【図３】
2021527997.tif 000005
【図４Ａ】
2021527997.tif 000006
【図４Ｂ】
2021527997.tif 000007
【図５】
2021527997.tif 000008
【図６】
2021527997.tif 000009
【図７】
2021527997.tif 000010
【手続補正書】
【提出日】令和2年12月16日(2020.12.16)
【手続補正１】
【補正対象書類名】明細書
【補正対象項目名】００５３
【補正方法】変更
【補正の内容】
【００５３】
１つの具体的な実現方式では、該第１指示情報に指示される時間ユニットのインデックス値は、無線フレーム周期に含まれるＬ個のサイドリンクサブフレームのうちの１つ又は複数のサブフレームのサブフレームインデックスであってもよい。例えば、無線フレーム周期にＰ（例えば、１０２４）個の無線フレームが含まれ、各無線フレームにＱ（例えば１０）個のサイドリンクサブフレームが含まれる場合、該第１指示情報は、インデックス値が０〜１０２３９であるサブフレームのうちの１つ又は複数のサブフレームを指示してもよく、当然ながら、２つのレベルのインデックス（例えば、無線フレームインデックス値及びサブフレームインデックス値）を採用して１つの無線フレーム周期における１つ又は複数のサブフレームを指示してもよい。
【手続補正２】
【補正対象書類名】明細書
【補正対象項目名】００８３
【補正方法】変更
【補正の内容】
【００８３】
幾つかの具体的な実施例では、該特定の境界は第１ダウンリンクサブフレームであってもよく、端末装置は該第１制御情報を受信した第２ダウンリンクサブフレームを該第１ダウンリンクサブフレームとして決定し、又は、端末装置は該第１制御情報を受信した第２ダウンリンクサブフレームの後のＫ２番目のダウンリンクサブフレームを該第１ダウンリンクサブフレームとして決定してもよく、Ｋ２は事前設定され又はネットワークによって設定されたものであってもよく、選択肢として、Ｋ２は２、４、８等であってもよい。該実施例は上記のシーン１及びシーン２にも適する。以下は２つのシーンを参照しながら、例を挙げて具体的な実現方式を説明する。
【手続補正３】
【補正対象書類名】明細書
【補正対象項目名】００８４
【補正方法】変更
【補正の内容】
【００８４】
シーン１
１つのダウンリンクサブフレームは２つのサイドリンクサブフレームに対応し、端末装置はダウンリンクサブフレームｐ３（サイドリンクサブフレームｑ３に対応する）においてＤＣＩを受信し、この場合、ダウンリンクサブフレームｐ３＋４はサイドリンクサブフレームｑ３＋８とサイドリンクサブフレームｑ３＋９に対応し、ダウンリンクサブフレームｐ３とダウンリンクサブフレームｐ３＋４の間は端末装置の処理時間であると考えられる。図３に示される。
【手続補正４】
【補正対象書類名】明細書
【補正対象項目名】００８５
【補正方法】変更
【補正の内容】
【００８５】
場合１：該特定の境界はダウンリンクサブフレームｐ３である。
【手続補正５】
【補正対象書類名】明細書
【補正対象項目名】００８６
【補正方法】変更
【補正の内容】
【００８６】
インデックス値が８であり、該インデックス値はダウンリンクサブフレームｐ３に対するものである場合、端末装置はダウンリンクサブフレームｐ３に対応するサイドリンクサブフレームｑ３の後の８番目のサイドリンクサブフレームにおいてサイドリンクデータを送信してもよい。
【手続補正６】
【補正対象書類名】明細書
【補正対象項目名】００８７
【補正方法】変更
【補正の内容】
【００８７】
場合２：該特定の境界はダウンリンクサブフレームｐ３＋４である。
【手続補正７】
【補正対象書類名】明細書
【補正対象項目名】００８８
【補正方法】変更
【補正の内容】
【００８８】
該インデックス値は０又は１であってもよく、該インデックス値はダウンリンクサブフレームｐ３＋４に対するものであり、それぞれダウンリンクサブフレームｐ３＋４に対応するサイドリンクサブフレームｑ３＋８とサイドリンクサブフレームｑ３＋９を指示し、この場合、該端末装置は該インデックス値に基づいて、ダウンリンクサブフレームｐ３＋４に対応するサイドリンクサブフレームｑ４＋８それともサイドリンクサブフレームｑ３＋９においてサイドリンクデータを送信するかを決定してもよい。
【手続補正８】
【補正対象書類名】明細書
【補正対象項目名】００８９
【補正方法】変更
【補正の内容】
【００８９】
シーン２
図４Ａ又は図４Ｂに示すように、１つのサイドリンクサブフレームは２つのダウンリンクサブフレームに対応し、端末装置はダウンリンクサブフレームｐ３（サイドリンクサブフレームｑ３に対応する）においてＤＣＩを受信し、ダウンリンクサブフレームｐ３＋４はサイドリンクサブフレームｑ３＋２に対応する。
【手続補正９】
【補正対象書類名】明細書
【補正対象項目名】００９０
【補正方法】変更
【補正の内容】
【００９０】
場合１：該特定の境界はダウンリンクサブフレームｐ３であってもよい。
【手続補正１０】
【補正対象書類名】明細書
【補正対象項目名】００９１
【補正方法】変更
【補正の内容】
【００９１】
インデックス値が４であり、該インデックス値はダウンリンクサブフレームｐ３に対するものである場合、端末装置はダウンリンクサブフレームｐ３の後の４番目のダウンリンクサブフレームに対応するサイドリンクサブフレームにおいてサイドリンクデータを送信してもよく、即ち、サイドリンクサブフレームｑ３＋２においてサイドリンクデータを送信する。
【手続補正１１】
【補正対象書類名】明細書
【補正対象項目名】００９２
【補正方法】変更
【補正の内容】
【００９２】
場合２：該特定の境界はダウンリンクサブフレームｐ３＋４である。
【手続補正１２】
【補正対象書類名】明細書
【補正対象項目名】００９３
【補正方法】変更
【補正の内容】
【００９３】
インデックス値が０であり、該インデックス値はダウンリンクサブフレームｐ３＋４に対するものである場合、端末装置はダウンリンクサブフレームｐ３＋４に対応するサイドリンクサブフレームｑ３＋２においてサイドリンクデータを送信してもよい。
【手続補正１３】
【補正対象書類名】明細書
【補正対象項目名】０１０６
【補正方法】変更
【補正の内容】
【０１０６】
例えば、異なるマスクコードシーケンスは異なるサイドリンクデータの送信時刻に対応してもよく、ネットワーク装置は異なるマスクコードシーケンスを介して該第１制御情報に対してマスク処理を行って、端末装置に異なるサイドリンクデータの送信時刻を指示してもよく、そこで、該端末装置は異なるマスクコードシーケンスを使用して該第１制御情報に対して処理を行い、ネットワーク装置の使用したマスクコードシーケンスを判断し、そして該第１対応関係を参照しながら、ネットワーク装置に指示されるサイドリンクデータの送信時刻を決定してもよい。例えば、マスクコードシーケンス１がインデックス値０に対応し、マスクコードシーケンス２がインデックス値１に対応する場合、該ネットワーク装置はマスクコードシーケンス２を使用して該第１制御情報に対してマスク処理を行ってもよく、端末装置はマスクコードシーケンス１とマスクコードシーケンス２を使用して該第１制御情報に対して処理を行い、該ネットワーク装置が使用したのはマスクコードシーケンス１であることを決定することができ、そして対応するインデックス値２を決定でき、そして、該端末装置はインデックス値１に指示される時間ユニットをサイドリンクデータの送信時刻として決定することができる。具体的な実行プロセスは前述の実施例の関連説明を参照でき、ここでは繰り返して説明しない。
【手続補正１４】
【補正対象書類名】明細書
【補正対象項目名】０１０７
【補正方法】変更
【補正の内容】
【０１０７】
また例えば、異なるサーチスペースは異なるサイドリンクデータの送信時刻に対応してもよく、ネットワーク装置は異なるサーチスペースを介して該第１制御情報を送信して、端末装置に異なるサイドリンクデータの送信時刻を指示してもよく、そこで、該端末装置は該第１制御情報を受信するサーチスペースに基づいて、該第１対応関係を参照しながら、ネットワーク装置に指示されるサイドリンクデータの送信時刻を決定してもよい。例えば、サーチスペース１がインデックス値０に対応し、サーチスペース２がインデックス値１に対応する場合、ネットワーク装置はサーチスペース１を使用して該第１制御情報を送信し、端末装置は該第１制御情報を受信するサーチスペースに基づいて、対応するインデックス値が０であることを決定することができ、そして、該端末装置はインデックス値０に指示される時間ユニットをサイドリンクデータの送信時刻として決定することができる。具体的な実行プロセスは前述の実施例の関連説明を参照でき、ここでは繰り返して説明しない。
【手続補正１５】
【補正対象書類名】明細書
【補正対象項目名】０１１１
【補正方法】変更
【補正の内容】
【０１１１】
図５は本願実施例による端末装置の模式的なブロック図であり、図５に示すように、該端末装置３００は、
ネットワーク装置から送信された第１制御情報を受信することに用いられる通信モジュール３１０と、
前記第１制御情報に基づいてサイドリンクデータの送信時刻を決定することに用いられる決定モジュール３２０と、を備える。
【手続補正１６】
【補正対象書類名】明細書
【補正対象項目名】０１２３
【補正方法】変更
【補正の内容】
【０１２３】
選択肢として、幾つかの実施例では、前記決定モジュールは更に、
前記第１制御情報に対応するシーケンス情報、無線ネットワーク一時識別子（ＲＮＴＩ）、サーチスペース、アグリゲーションレベル、送信リソースのうちの少なくとも１つ、及び第１対応関係に基づいて、前記サイドリンクデータの送信時刻を決定することに用いられ、
前記第１対応関係はシーケンス情報、無線ネットワーク一時識別子（ＲＮＴＩ）、サーチスペース、アグリゲーションレベル、送信リソースのうちの少なくとも１つと時間ユニットインデックスとの対応関係である。
【手続補正１７】
【補正対象書類名】明細書
【補正対象項目名】０１３２
【補正方法】変更
【補正の内容】
【０１３２】
選択肢として、図６に示すように、通信装置６００は更に送受信機６３０を備えてもよく、プロセッサ６１０は他の装置と通信するように該送受信機６３０を制御することができ、具体的に、他の装置に情報又はデータを送信し、又は他の装置から送信された情報又はデータを受信することができる。
【手続補正１８】
【補正対象書類名】特許請求の範囲
【補正対象項目名】全文
【補正方法】変更
【補正の内容】
【特許請求の範囲】
【請求項１】
データを伝送する方法であって、
端末装置がネットワーク装置から送信された第１制御情報を受信することと、
前記端末装置が前記第１制御情報に基づいてサイドリンクデータの送信時刻を決定することと、を含むことを特徴とするデータを伝送する方法。
【請求項２】
前記端末装置が前記第１制御情報に基づいてサイドリンクデータの送信時刻を決定することは、
前記端末装置が前記第１制御情報に含まれる第１指示情報に基づいて、サイドリンクデータの送信時刻を決定することを含むことを特徴とする請求項１に記載の方法。
【請求項３】
前記第１制御情報はダウンリンク制御情報（ＤＣＩ）であることを特徴とする請求項１又は２に記載の方法。
【請求項４】
前記第１指示情報は特定の境界に対する時間ユニットのオフセットを指示することに用いられ、前記端末装置が前記第１制御情報に含まれる前記第１指示情報に基づいて、サイドリンクデータの送信時刻を決定することは、
前記端末装置が前記特定の境界と前記オフセットに基づいて、前記サイドリンクデータの送信時刻を決定することを含むことを特徴とする請求項２に記載の方法。
【請求項５】
前記特定の境界は無線フレーム周期境界であることを特徴とする請求項４に記載の方法。
【請求項６】
前記特定の境界は第２ダウンリンク時間ユニットに基づいて決定され、前記第２ダウンリンク時間ユニットは前記端末装置が前記第１制御情報を受信するダウンリンクにおける時間ユニットであり、前記第１指示情報は第１ダウンリンク時間ユニットに対する時間ユニットのオフセットを指示することに用いられることを特徴とする請求項４に記載の方法。
【請求項７】
前記端末装置が前記特定の境界と前記オフセットに基づいて、前記サイドリンクデータの送信時刻を決定することは、
前記端末装置が前記特定の境界にｎ個のサイドリンク時間ユニットを加えた後の１番目の使用可能なサイドリンク時間ユニットを、前記サイドリンクデータの送信時刻として決定することを含み、
前記ｎは前記オフセットであることを特徴とする請求項６に記載の方法。
【請求項８】
前記端末装置が前記第１制御情報に基づいてサイドリンクデータの送信時刻を決定することは、
前記端末装置が前記第１制御情報に対応するシーケンス情報、無線ネットワーク一時識別子（ＲＮＴＩ）、サーチスペース、アグリゲーションレベル、送信リソースのうちの少なくとも１つに基づいて、前記サイドリンクデータの送信時刻を決定することを含むことを特徴とする請求項１に記載の方法。
【請求項９】
前記方法は更に、
前記端末装置が第１サブキャリア間隔及び第２サブキャリア間隔に基づいてサイドリンクデータの送信時刻を決定することを含み、
前記第１サブキャリア間隔は前記第１制御情報の所在するキャリア又は帯域幅部分（ＢＷＰ）のサブキャリア間隔であり、前記第２サブキャリア間隔は前記サイドリンクデータの所在するキャリア、ＢＷＰ又はリソースプールのサブキャリア間隔であることを特徴とする請求項１〜８のいずれか１項に記載の方法。
【請求項１０】
前記方法は更に、
前記端末装置が第１設定情報を取得し、前記第１設定情報に基づいて前記第１サブキャリア間隔を決定することと、
前記端末装置が第２設定情報を取得し、前記第２設定情報に基づいて前記第２サブキャリア間隔を決定することと、を含むことを特徴とする請求項９に記載の方法。
【請求項１１】
前記第１設定情報は事前設定され又はネットワークによって設定された情報であり、又は、前記第２設定情報は事前設定され又はネットワークによって設定された情報であることを特徴とする請求項１０に記載の方法。
【請求項１２】
前記時間ユニットはサブフレーム又はタイムスロットであることを特徴とする請求項４〜７のいずれか１項に記載の方法。
【請求項１３】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１〜１２のいずれか１項に記載の方法を実行することに用いられることを特徴とする端末装置。
【請求項１４】
チップであって、メモリからコンピュータプログラムを呼び出して実行し、前記チップを搭載する装置に請求項１〜１２のいずれか１項に記載の方法を実行させることに用いられるプロセッサを備えることを特徴とするチップ。
【請求項１５】
コンピュータ可読記憶媒体であって、コンピュータプログラムを記憶することに用いられ、前記コンピュータプログラムはコンピュータに請求項１〜１２のいずれか１項に記載の方法を実行させることを特徴とするコンピュータ可読記憶媒体。
【国際調査報告】
2021527997.tif 000011
2021527997.tif 000012
2021527997.tif 000013
2021527997.tif 000014